(57)【要約】【課題】撮影の結果得られる画像とユーザの所望する項目を、視認性良く表示させる。【解決手段】  撮影部１０２は、被写体を撮影する。状態判定部１１２は、デジタルカメラ１の状態を判定し、表示項目選択部１１１は、その判定結果に応じて、表示する項目を選択する。画像処理部１０３は、表示項目選択部１１１により選択された項目を、画像表示部１０５の非表示領域に表示させるとともに、撮影部１０２により撮影された結果得られる撮影画像を、画像表示部１０５の表示領域に表示させる。本発明は、例えば、デジタルカメラに適用することができる。【選択図】図５
2006229311.tif 000002
【特許請求の範囲】
【請求項１】
被写体を撮影する撮影装置において、
被写体を撮影する撮影手段と、
前記撮影装置の状態に応じて、表示を行う表示手段で表示する項目を選択する選択手段と、
前記選択手段により選択された項目を、前記表示手段の第１の領域に表示させるとともに、前記撮影手段により撮影された結果得られる画像を、前記表示手段の第２の領域に表示させる表示制御手段と
を備えることを特徴とする撮影装置。
【請求項２】
前記撮影手段により撮影された画像を記録させる記録制御手段
をさらに備え、
前記選択手段は、電源がオンにされた状態、前記記録の準備動作を行う状態、前記記録を行う状態、または所定の情報を設定する状態に応じて、前記項目を選択する
ことを特徴とする請求項１に記載の撮影装置。
【請求項３】
前記撮影手段により撮影された画像を記録させる記録制御手段と、
前記記録制御手段により記録された画像を読み出す読み出し手段と
をさらに備え、
前記表示制御手段は、前記読み出し制御手段により読み出された画像を、前記表示手段の第２の領域に表示させ、
前記選択手段は、前記読み出し制御手段により読み出された画像が、前記表示手段の第２の領域に表示される状態に応じて、前記項目を選択する
ことを特徴とする請求項１に記載の撮影装置。
【請求項４】
ユーザからの操作を受け付ける受付手段
をさらに備え、
前記表示制御手段は、さらに、前記受付手段により受け付けられた操作に応じて、前記項目の表示を変更する
ことを特徴とする請求項１に記載の撮影装置。
【請求項５】
前記第１と第２の領域は、重複しない領域である
ことを特徴とする請求項１に記載の撮影装置。
【請求項６】
前記第１の領域は、前記撮影手段により撮影された結果得られる画像のアスペクト比と前記表示手段のアスペクト比とが異なることにより生じる領域である
ことを特徴とする請求項１に記載の撮影装置。
【請求項７】
被写体を撮影する撮影装置の制御方法において、
前記撮影装置は、被写体を撮影する撮影手段を備え、
前記撮影装置の状態に応じて、表示を行う表示手段で表示する項目を選択する選択ステップと、
前記選択ステップの処理により選択された項目を、前記表示手段の第１の領域に表示させるとともに、前記撮影手段により撮影された結果得られる画像を、前記表示手段の第２の領域に表示させる表示制御ステップと
を含むことを特徴とする制御方法。
【請求項８】
被写体を撮影する撮影装置を制御するコンピュータに行わせるプログラムにおいて、
前記撮影装置は、被写体を撮影する撮影手段を備え、
前記撮影装置の状態に応じて、表示を行う表示手段で表示する項目を選択する選択ステップと、
前記選択ステップの処理により選択された項目を、前記表示手段の第１の領域に表示させるとともに、前記撮影手段により撮影された結果得られる画像を、前記表示手段の第２の領域に表示させる表示制御ステップと
を含むことを特徴とするプログラム。
【請求項９】
被写体を撮影する撮影装置において、
被写体を撮影する撮影手段と、
ユーザによる項目の選択を受け付ける受付手段と、
前記項目の選択の頻度または履歴に応じて、表示を行う表示手段で表示する項目を選択する選択手段と、
前記選択手段により選択された項目を、前記表示手段の第１の領域に表示させるとともに、前記撮影手段により撮影された結果得られる画像を、前記表示手段の第２の領域に表示させる表示制御手段と
を備えることを特徴とする撮影装置。
【請求項１０】
前記項目に対応付けて、その項目の前記受付手段により受け付けられた選択の頻度を記憶する記憶手段と、
前記受付手段により項目の選択が受け付けられた場合、その項目に対応付けて前記記憶手段に記憶されている頻度を変更する変更手段と
をさらに備え、
前記選択手段は、前記変更手段により変更された頻度に応じて、表示する項目を選択する
ことを特徴とする請求項９に記載の撮影装置。
【請求項１１】
前記第１と第２の領域は、重複しない領域である
ことを特徴とする請求項９に記載の撮影装置。
【請求項１２】
前記第１の領域は、前記撮影手段により撮影された結果得られる画像のアスペクト比と前記表示手段のアスペクト比とが異なることにより生じる領域である
ことを特徴とする請求項９に記載の撮影装置。
【請求項１３】
被写体を撮影する撮影装置の制御方法において、
前記撮影装置は、被写体を撮影する撮影手段を備え、
ユーザによる項目の選択を受け付ける受付ステップと、
前記項目の選択の頻度または履歴に応じて、表示を行う表示手段で表示する項目を選択する選択ステップと、
前記選択ステップの処理により選択された項目を、前記表示手段の第１の領域に表示させるとともに、前記撮影手段により撮影された結果得られる画像を、前記表示手段の第２の領域に表示させる表示制御ステップと
を含むことを特徴とする制御方法。
【請求項１４】
被写体を撮影する撮影装置を制御するコンピュータに行わせるプログラムにおいて、
前記撮影装置は、被写体を撮影する撮影手段を備え、
ユーザによる項目の選択を受け付ける受付ステップと、
前記項目の選択の頻度または履歴に応じて、表示を行う表示手段で表示する項目を選択する選択ステップと、
前記選択ステップの処理により選択された項目を、前記表示手段の第１の領域に表示させるとともに、前記撮影手段により撮影された結果得られる画像を、前記表示手段の第２の領域に表示させる表示制御ステップと
を含むことを特徴とするプログラム。
【発明の詳細な説明】
【技術分野】
【０００１】
本発明は、撮影装置および制御方法、並びにプログラムに関し、特に、撮影の結果得られる画像とユーザの所望する項目を、視認性良く表示させることができるようにする撮影装置および制御方法、並びにプログラムに関する。
【背景技術】
【０００２】
例えば、カメラには、液晶パネルが設けられており、カメラは、被写体を撮影した結果得られる画像(スルー画像)（以下、撮影画像という）の記録に関する各種の項目を、その液晶パネルに表示することができる。ユーザは、撮影画像を記録する（シャッタボタンを操作する）場合、液晶パネルに表示された項目を見ながら、必要に応じて、その項目に対応する設定を変更（調整）する。
【０００３】
しかしながら、ユーザは、一般的に、OVF（Optical View Finder）やEVF(Electric View Finder)などのファインダを覗きながら、撮影画像を記録することが多く、撮影画像の記録時に、液晶パネルに表示されている項目を見ることは、記録動作の妨げになる。
【０００４】
そこで、OVF（光学ファインダ）内の下部に、セグメント表示方式の液晶パネルを設け、その液晶パネルに、撮影画像の記録に関する各種の項目を表示させるカメラがある。しかしながら、セグメント表示方式の液晶パネルでは、表示可能な項目が一意に決まってしまうため、ユーザは、非常に限られた項目以外見ることができない。
【０００５】
また、デジタル(スチル)カメラにおいては、ドットマトリックス方式のLCD(Liquid Crystal Display)に、撮影画像が表示され、その撮影画像上に、各種の項目がOSD（On Screen Display）表示される。この場合、ユーザは、LCDに表示された撮影画像を見ながら、項目の設定を変更し、記録を指示することができる。しかしながら、LCDに表示される撮影画像は、項目のOSD表示と重なるため、ユーザは、撮影画像や項目を視認しにくい。従って、項目のOSD表示が、撮影画像と重ならないものが求められている。
【０００６】
そこで、EVFにおいて、撮影画像とディスプレイのアスペクト比の違いを利用して、ディスプレイの表示画面のうちの、撮影画像を表示しない領域に、文字情報を表示させる液晶ファインダ付きカメラがある（例えば、特許文献１参照）。
【特許文献１】特開平１０−３１９４８８号公報
【発明の開示】
【発明が解決しようとする課題】
【０００７】
しかしながら、特許文献１に記載されている液晶ファインダ付きカメラでは、文字情報を表示させる領域が限られているため、すべての項目を表示することは困難である。従って、ユーザの所望する項目が必ずしも表示されるとは限らない。
【０００８】
本発明は、このような状況に鑑みてなされたものであり、撮影の結果得られる画像とユーザの所望する項目を、視認性良く表示させることができるようにするものである。
【課題を解決するための手段】
【０００９】
本発明の第１の撮影装置は、被写体を撮影する撮影手段と、第１の撮影装置の状態に応じて、表示を行う表示手段で表示する項目を選択する選択手段と、選択手段により選択された項目を、表示手段の第１の領域に表示させるとともに、撮影手段により撮影された結果得られる画像を、表示手段の第２の領域に表示させる表示制御手段とを備えることを特徴とする。
【００１０】
この第１の撮影装置には、撮影手段により撮影された画像を記録させる記録制御手段をさらに設け、選択手段は、電源がオンにされた状態、記録の準備動作を行う状態、記録を行う状態、または所定の情報を設定する状態に応じて、項目を選択することができる。
【００１１】
第１の撮影装置には、撮影手段により撮影された画像を記録させる記録制御手段と、記録制御手段により記録された画像を読み出す読み出し手段とをさらに設け、表示制御手段は、読み出し制御手段により読み出された画像を、表示手段の第２の領域に表示させ、選択手段は、読み出し制御手段により読み出された画像が、表示手段の第２の領域に表示される状態に応じて、項目を選択することができる。
【００１２】
第１の撮影装置には、ユーザからの操作を受け付ける受付手段をさらに設け、表示制御手段は、さらに、受付手段により受け付けられた操作に応じて、項目の表示を変更することができる。
【００１３】
第１と第２の領域は、重複しない領域であるようにすることができる。
【００１４】
第１の領域は、撮影手段により撮影された結果得られる画像のアスペクト比と表示手段のアスペクト比とが異なることにより生じる領域であるようにすることができる。
【００１５】
本発明の第１の制御方法は、撮影装置は、被写体を撮影する撮影手段を備え、撮影装置の状態に応じて、表示を行う表示手段で表示する項目を選択する選択ステップと、選択ステップの処理により選択された項目を、表示手段の第１の領域に表示させるとともに、撮影手段により撮影された結果得られる画像を、表示手段の第２の領域に表示させる表示制御ステップとを含むことを特徴とする。
【００１６】
本発明の第１のプログラムは、撮影装置は、被写体を撮影する撮影手段を備え、撮影装置の状態に応じて、表示を行う表示手段で表示する項目を選択する選択ステップと、選択ステップの処理により選択された項目を、表示手段の第１の領域に表示させるとともに、撮影手段により撮影された結果得られる画像を、表示手段の第２の領域に表示させる表示制御ステップとを含むことを特徴とする。
【００１７】
本発明の第２の撮影装置は、被写体を撮影する撮影手段と、ユーザによる項目の選択を受け付ける受付手段と、項目の選択の頻度または履歴に応じて、表示を行う表示手段で表示する項目を選択する選択手段と、選択手段により選択された項目を、表示手段の第１の領域に表示させるとともに、撮影手段により撮影された結果得られる画像を、表示手段の第２の領域に表示させる表示制御手段とを備えることを特徴とする。
【００１８】
この第２の撮影装置には、項目に対応付けて、その項目の受付手段により受け付けられた選択の頻度を記憶する記憶手段と、受付手段により項目の選択が受け付けられた場合、その項目に対応付けて記憶手段に記憶されている頻度を変更する変更手段とをさらに設け、選択手段は、変更手段により変更された頻度に応じて、表示する項目を選択することができる。
【００１９】
第１と第２の領域は、重複しない領域であるようにすることができる。
【００２０】
第１の領域は、撮影手段により撮影された結果得られる画像のアスペクト比と表示手段のアスペクト比とが異なることにより生じる領域であるようにすることができる。
【００２１】
本発明の第２の制御方法は、撮影装置は、被写体を撮影する撮影手段を備え、ユーザによる項目の選択を受け付ける受付ステップと、表示を行う表示手段で項目の選択の頻度または履歴に応じて、表示する項目を選択する選択ステップと、選択ステップの処理により選択された項目を、表示手段の第１の領域に表示させるとともに、撮影手段により撮影された結果得られる画像を、表示手段の第２の領域に表示させる表示制御ステップとを含むことを特徴とする。
【００２２】
本発明の第２のプログラムは、撮影装置は、被写体を撮影する撮影手段を備え、ユーザによる項目の選択を受け付ける受付ステップと、項目の選択の頻度または履歴に応じて、表示を行う表示手段で表示する項目を選択する選択ステップと、選択ステップの処理により選択された項目を、表示手段の第１の領域に表示させるとともに、撮影手段により撮影された結果得られる画像を、表示手段の第２の領域に表示させる表示制御ステップとを含むことを特徴とする。
【００２３】
本発明の第１の撮影装置および制御方法、並びにプログラムにおいては、被写体を撮影し、第１の撮影装置の状態に応じて、表示を行う表示手段で表示する項目を選択する選択し、選択した項目を、表示手段の第１の領域に表示させるとともに、撮影した結果得られる画像を、表示手段の第２の領域に表示させる。
【００２４】
本発明の第２の撮影装置および制御方法、並びにプログラムにおいては、被写体を撮影し、ユーザによる項目の選択を受け付け、項目の選択の頻度または履歴に応じて、表示を行う表示手段で表示する項目を選択する。そして、選択した項目を、表示手段の第１の領域に表示させるとともに、撮影した結果得られる画像を、表示手段の第２の領域に表示させる。
【発明の効果】
【００２５】
本発明によれば、撮影の結果得られる画像とユーザの所望する項目を、視認性良く表示させることができる。
【発明を実施するための最良の形態】
【００２６】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２７】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２８】
請求項１に記載の撮影装置は、
被写体を撮影する撮影装置（例えば、図５のデジタルカメラ１）において、
被写体を撮影する撮影手段（例えば、図５の撮影部１０２）と、
前記撮影装置の状態に応じて、表示を行う表示手段（例えば、図５の画像表示部１０５）で表示する項目を選択する選択手段（例えば、図５の表示項目選択部１１１）と、
前記選択手段により選択された項目を、前記表示手段の第１の領域（例えば、図６の非表示領域１２２）に表示させるとともに、前記撮影手段により撮影された結果得られる画像を、前記表示手段の第２の領域（例えば、図６の表示領域１２１）に表示させる表示制御手段(例えば、図５の画像処理部１０３)と
を備えることを特徴とする。
【００２９】
請求項２に記載の撮影装置は、
前記撮影手段により撮影された画像を記録させる記録制御手段(例えば、図５の記録制御部１０８)
をさらに備え、
前記選択手段は、電源がオンにされた状態、前記記録の準備動作を行う状態、前記記録を行う状態、または所定の情報を設定する状態に応じて、前記項目を選択する
ことを特徴とする。
【００３０】
請求項３に記載の撮影装置は、
前記撮影手段により撮影された画像を記録させる記録制御手段(例えば、図５の記録制御部１０８)と、
前記記録制御手段により記録された画像を読み出す読み出し手段（例えば、図５の読み出し制御部１０９）と
をさらに備え、
前記表示制御手段は、前記読み出し制御手段により読み出された画像を、前記表示手段の第２の領域に表示させ、
前記選択手段は、前記読み出し制御手段により読み出された画像が、前記表示手段の第２の領域に表示される状態に応じて、前記項目を選択する
ことを特徴とする。
【００３１】
請求項４に記載の撮影装置は、
ユーザからの操作を受け付ける受付手段(例えば、図５の操作部１０６)
をさらに備え、
前記表示制御手段は、さらに、前記受付手段により受け付けられた操作に応じて、前記項目の表示を変更する
ことを特徴とする。
【００３２】
請求項６に記載の撮影装置は、
前記第１の領域は、前記撮影手段により撮影された結果得られる画像のアスペクト比(例えば、３：２)と前記表示手段のアスペクト比（例えば、４：３）とが異なることにより生じる領域である
ことを特徴とする。
【００３３】
請求項７に記載の制御方法は、
被写体を撮影する撮影装置(例えば、図５のデジタルカメラ１)の制御方法において、
前記撮影装置は、被写体を撮影する撮影手段(例えば、図５の撮影部１０２)を備え、
前記撮影装置の状態に応じて、表示を行う表示手段（例えば、図５の画像表示部１０５）で表示する項目を選択する選択ステップ(例えば、図５の表示項目選択部１１１が行う図１０のステップＳ１１)と、
前記選択ステップの処理により選択された項目を、前記表示手段の第１の領域（例えば、図６の非表示領域１２２）に表示させるとともに、前記撮影手段により撮影された結果得られる画像を、前記表示手段の第２の領域（例えば、図６の表示領域１２１）に表示させる表示制御ステップ（例えば、図５の画像処理部１０３が行う図１０のステップＳ１１）と
を含むことを特徴とする。
【００３４】
請求項８に記載のプログラムは、
被写体を撮影する撮影装置（例えば、図５のデジタルカメラ１）を制御するコンピュータに行わせるプログラムにおいて、
前記撮影装置は、被写体を撮影する撮影手段(例えば、図５の撮影部１０２)を備え、
前記撮影装置の状態に応じて、表示を行う表示手段（例えば、図５の画像表示部１０５）で表示する項目を選択する選択ステップ(例えば、図５の表示項目選択部１１１が行う図１０のステップＳ１１)と、
前記選択ステップの処理により選択された項目を、前記表示手段の第１の領域（例えば、図６の非表示領域１２２）に表示させるとともに、前記撮影手段により撮影された結果得られる画像を、前記表示手段の第２の領域（例えば、図６の表示領域１２１）に表示させる表示制御ステップ（例えば、図５の画像処理部１０３が行う図１０のステップＳ１１）と
を含むことを特徴とする。
【００３５】
請求項９に記載の撮影装置は、
被写体を撮影する撮影装置(例えば、図１２のデジタルカメラ２００)において、
被写体を撮影する撮影手段(例えば、図１２の撮影部１０２)と、
ユーザによる項目の選択を受け付ける受付手段（例えば、図１２の操作部１０６）と、
前記項目の選択の頻度または履歴に応じて、表示を行う表示手段（例えば、図１２の画像表示部１０５）で表示する項目を選択する選択手段(例えば、図１２の表示項目選択部２１１)と、
前記選択手段により選択された項目を、前記表示手段の第１の領域（例えば、図６の非表示領域１２２）に表示させるとともに、前記撮影手段により撮影された結果得られる画像を、前記表示手段の第２の領域（例えば、図６の表示領域１２１）に表示させる表示制御手段(例えば、図１２の画像処理部１０３)と
を備えることを特徴とする。
【００３６】
請求項１０に記載の撮影装置は、
前記項目に対応付けて、その項目の前記受付手段により受け付けられた選択の頻度を記憶する記憶手段（例えば、図１２のフラッシュメモリ２０２）と、
前記受付手段により項目の選択が受け付けられた場合、その項目に対応付けて前記記憶手段に記憶されている頻度を変更する変更手段(例えば、図１２の使用頻度管理部２１２)と
をさらに備え、
前記選択手段は、前記変更手段により変更された頻度に応じて、表示する項目を選択することを特徴とする。
【００３７】
請求項１２に記載の撮影装置は、
前記第１の領域は、前記撮影手段により撮影された結果得られる画像のアスペクト比(例えば、３：２)と前記表示手段のアスペクト比（例えば、４：３）とが異なることにより生じる領域である
ことを特徴とする。
【００３８】
請求項１３に記載の制御方法は、
被写体を撮影する撮影装置(例えば、図１２のデジタルカメラ２００)の制御方法において、
前記撮影装置は、被写体を撮影する撮影手段(例えば、図１２の撮影部１０２)を備え、
ユーザによる項目の選択を受け付ける受付ステップ(例えば、図１５のステップＳ７１)と、
前記項目の選択の頻度または履歴に応じて、表示を行う表示手段（例えば、図１２の画像表示部１０５）で表示する項目を選択する選択ステップ(例えば、図１４のステップＳ５１)と、
前記選択ステップの処理により選択された項目を、前記表示手段の第１の領域（例えば、図６の非表示領域１２２）に表示させるとともに、前記撮影手段により撮影された結果得られる画像を、前記表示手段の第２の領域（例えば、図６の表示領域１２１）に表示させる表示制御ステップ(例えば、図１２の画像処理部１０３が行う図１４のステップＳ５２)と
を含むことを特徴とする。
【００３９】
請求項１４に記載のプログラムは、
被写体を撮影する撮影装置（例えば、図１２のデジタルカメラ２００）を制御するコンピュータに行わせるプログラムにおいて、
前記撮影装置は、被写体を撮影する撮影手段(例えば、図１２の撮影部１０２)を備え、
ユーザによる項目の選択を受け付ける受付ステップ(例えば、図１５のステップＳ７１)と、
前記項目の選択の頻度または履歴に応じて、表示を行う表示手段（例えば、図１２の画像表示部１０５）で表示する項目を選択する選択ステップ(例えば、図１４のステップＳ５１)と、
前記選択ステップの処理により選択された項目を、前記表示手段の第１の領域（例えば、図６の非表示領域１２２）に表示させるとともに、前記撮影手段により撮影された結果得られる画像を、前記表示手段の第２の領域（例えば、図６の表示領域１２１）に表示させる表示制御ステップ(例えば、図１２の画像処理部１０３が行う図１４のステップＳ５２)と
を含むことを特徴とする。
【００４０】
以下、本発明を適用した具体的な実施の形態について、図面を参照しながら詳細に説明する。
【００４１】
図１は、本発明を適用したデジタルカメラの第１実施の形態の外観構成例を示す上面図である。
【００４２】
図１に示すように、デジタルカメラ１は、レンズ部１１と本体部１２から構成される。レンズ部１１は、被写体からの光を、本体部１２の内部の、CCD（Charge Coupled Device）等からなる後述する撮影部１０２（図５）上に集光する。これにより、被写体が撮影される。本体部１２の上面の右側には、電源ボタン２０、シャッタボタン２１、セルフタイマボタン２２、および文字液晶パネル２３が設けられている。
【００４３】
電源ボタン２０は、電源のオンまたはオフを指令するときに操作される。シャッタボタン２１は、撮影画像の記録の準備動作を指令するときに「半押し」され、撮影画像の記録を指令するとき、または動作モードを撮影を行う撮影モードに設定する(撮影画像を再生して後述するLCD６２（図３）に表示させる再生モードの設定を解除する)ときに「全押し」される。なお、シャッタボタン２１の「半押し」とは、シャッタボタン２１のストロークの途中である所定の位置まで押下することをいい、「全押し」とは、シャッタボタン２１のストロークの最後まで押下することをいう。
【００４４】
セルフタイマボタン２２は、所定の時間後の撮影画像の記録を指令するときに操作される。文字液晶パネル２３には、例えば、現在の日付や時刻などの情報が表示される。また、本体部１２の上面の中央下部には、LCD/EVF切替ボタン２４が設けられている。LCD/EVF切替ボタン２４は、表示先として、後述するLCD６２（図３）またはEVF６１を選択するときに、操作される。
【００４５】
さらに、本体部１２のレンズ部１１側(前（正）面側)には、メインダイヤル３１が設けられており、その反対側(背面側)には、サブダイヤル３２が設けられている。メインダイヤル３１は、例えば、絞り値などを設定するときに操作される。サブダイヤル３２は、例えば、露光（Ｅｖ）の補正などを行うときに操作される。
【００４６】
図２は、図１のデジタルカメラ１の右側面図である。
【００４７】
図２に示すように、図１のデジタルカメラ１の本体部１２の左側面には、モードダイヤル５１、フラッシュモードボタン５２、ＷＢ(ホワイトバランス)モードボタン５３、およびフォーカスモードボタン５４が設けられている。モードダイヤル５１は、例えば、撮影画像の記録時の動作モードを選択するときに操作される。
【００４８】
撮影画像の記録時の動作モードとしては、絞り値と露光（Ｅｖ）補正値を設定して撮影画像の記録を行う絞り優先モード（Ａモード）、シャッタスピードと露光補正値を設定して撮影画像の記録を行うシャッタスピード優先モード（Ｓモード）、絞り値とシャッタスピードの組み合わせ（プログラムシフト）並びに露光補正値を設定して撮影画像の記録を行うプログラムシフトモード（Ｐモード）、シャッタスピードと絞り値を設定して撮影画像の記録を行うマニュアルモード（Ｍモード）がある。
【００４９】
フラッシュモードボタン５２は、図示せぬストロボのフラッシュの設定を行うフラッシュモードを選択するときに操作される。ＷＢモードボタン５３は、ホワイトバランス（ＷＢ）の設定を行うＷＢモードを選択するときに操作される。フォーカスモードボタン５４は、フォーカスモードとして、自動でフォーカス制御を行うオートフォーカスモード、またはユーザが手動でフォーカスを制御するマニュアルフォーカスモードを選択するときに操作される。      
【００５０】
図３は、図１のデジタルカメラ１の背面図である。
【００５１】
図３に示すように、本体部１２の背面には、上部にEVF６１が設けられ、中央部にLCD６２が設けられている。EVF６１とLCD６２は、例えば、撮影画像と、撮影画像の記録に関する所定の項目とを同時に表示する。
【００５２】
LCD６２の左側には、測光ボタン６３、再生ボタン６４、メニューボタン６５、LCDオン/オフボタン６６、および削除ボタン６７が設けられ、右側には、ISOボタン６８、ドライブモードボタン６９、および十字セレクタボタン(ジョイスティックボタン)７０が設けられている。
【００５３】
測光ボタン６３は、測光の設定を行う測光モードを選択するときに操作される。再生ボタン６４は、動作モードを撮影画像を再生してLCD６２に表示させる再生モードに設定するとき、または再生モードの設定を解除するとき（動作モードを撮影モードに設定するとき）に操作される。メニューボタン６５は、各種の設定のためのメニュー画面を表示させるときに操作される。LCDオン/オフボタン６６は、LCD６２の表示をオンまたはオフにするときに操作される。削除ボタン６７は、記録されている撮影画像を削除するときに操作される。
【００５４】
ISOボタン６８は、ISO感度の設定を行うISO感度モードを選択するときに操作される。ドライブモードボタン６９は、連写やブラケットの設定を行うドライブ(DRV)モードを選択するときに操作される。十字セレクタボタン７０は、例えば、EVF６１やLCD６２に表示されたカーソルなどを移動させるときに操作される。
【００５５】
また、本体部１２の背面のサブダイヤル３２の下部には、ＡＥロックボタン７１が設けられている。ＡＥロックボタン７１は、露出の値をいま設定されている値に固定するＡＥロックモードを選択するときに操作される。
【００５６】
次に、図４Ａと図４Ｂを参照して、ユーザにより、各種のモードが選択されたときに、メインダイヤル３１とサブダイヤル３２に割り当てられる機能を説明する。
【００５７】
図４Ａは、撮影画像の記録時の動作モード（Ａモード、Ｓモード、Ｐモード、およびＭモード）が選択されたときに、メインダイヤル３１とサブダイヤル３２に割り当てられる機能を示している。
【００５８】
図４Ａに示すように、ユーザによりＡモードが選択された場合、メインダイヤル３１には、絞り値を設定するための機能が、サブダイヤル３２には、露光（Ｅｖ）を補正するための機能が割り当てられる。即ち、メインダイヤル３１は、絞り値の値を設定するときに操作され、サブダイヤル３２は、Ｅｖを補正するときに操作される。
【００５９】
また、ユーザによりＳモードが選択される場合、メインダイヤル３１には、シャッタスピードを設定するための機能が、サブダイヤル３２には、Ｅｖを補正するための機能が割り当てられる。ユーザによりＰモードが選択された場合、メインダイヤル３１には、プログラムシフト（絞り値とシャッタスピードの組み合わせ）を設定するための機能が、サブダイヤル３２には、Ｅｖを補正するための機能が割り当てられる。
【００６０】
さらに、ユーザによりＭモードが選択された場合、メインダイヤル３１には、シャッタスピードを設定するための機能が、サブダイヤル３２には、絞り値を設定するための機能が割り当てられる。
【００６１】
図４Ｂは、撮影画像の記録に関する設定を行うモード（フォーカスモード、測光モード、フラッシュモード、ＷＢモード、ドライブモード）（以下、設定モードという）およびISO感度モードが選択されたときに、メインダイヤル３１とサブダイヤル３２に割り当てられる機能を示している。
【００６２】
図４Ｂに示すように、ユーザによりフラッシュモードが選択された場合、メインダイヤル３１には、フラッシュモードを設定するための機能が、サブダイヤル３２には、フラッシュ調光を補正するための機能が割り当てられる。即ち、メインダイヤル３１は、フラッシュモードを設定するときに操作され、サブダイヤル３２は、フラッシュ調光を補正するときに操作される。
【００６３】
また、ユーザによりＷＢモードが選択された場合、メインダイヤル３１には、ＷＢモードを設定するための機能が、サブダイヤル３２には、ＷＢを微調整するための機能が割り当てられる。ユーザにより測光モードまたはISO感度モードが選択された場合、メインダイヤル３１には、測光モードまたはISO感度モードを設定するための機能が、それぞれ割り当てられ、サブダイヤル３２には、機能は割り当てられない。
【００６４】
さらに、ユーザによりドライブモードが選択された場合、メインダイヤル３１には、ドライブモードを設定するための機能が、サブダイヤル３２には、ブラケット間隔を設定するための機能が割り当てられる。
【００６５】
図５は、図１乃至図３のデジタルカメラ１の内部の構成例を示すブロック図である。
【００６６】
図５のデジタルカメラ１は、制御部１０１、撮影部１０２、画像処理部１０３、SDRAM（Synchronous Dynamic Random Access Memory）１０４、画像表示部１０５、操作部１０６、フラッシュメモリ１０７、記録制御部１０８、読み出し制御部１０９、およびリムーバブルメモリ１１０から構成され、被写体を撮影し、その撮影した結果得られる撮影画像の表示や記録を行う。
【００６７】
制御部１０１は、表示項目選択部１１１、状態判定部１１２、およびその他の制御部１１３から構成され、フラッシュメモリ１０７に記憶されているプログラムにしたがって各部を制御したり、各種の処理を実行する。具体的には、制御部１０１の表示項目選択部１１１は、状態判定部１１２の判定結果に応じて、フラッシュメモリ１０７に記憶されている撮影画像の記録や表示に関する項目のデータから、表示する項目のデータを選択する。そして、状態判定部１１２は、その選択した項目のデータを、画像処理部１０３に供給する。
【００６８】
状態判定部１１２は、操作部１０６からの操作信号等に基づいて、デジタルカメラ１の状態を判定し、その結果を表示項目選択部１１１に供給する。その他の制御部１１３は、操作部１０６からの操作信号に応じて、撮影部１０２を制御し、撮影を行ったり、記録制御部１０８を制御して、画像処理部１０３からの撮影画像をリムーバブルメモリ１１０に記録させる。また、その他の制御部１１３は、操作部１０６からの操作信号に応じて、読み出し制御部１０９を制御し、リムーバブルメモリ１１０に記録されている撮影画像を読み出し（再生し）、画像処理部１０３に供給する。
【００６９】
図示せぬ被写体からの光は、図示せぬレンズや絞り機構などにより構成される図１のレンズ部１１を介して、撮影部１０２に入射される。撮影部１０２は、CCDやCMOS(Complementary Metal Oxide Semiconductor)、およびタイミングジェネレータ（ＴＧ）などにより構成され、所定のタイミングで、レンズ部１１からの光を光電変換し、アナログ信号である画像信号として、画像処理部１０３に供給する。ここで、撮影部１０２により撮影された結果得られる撮影画像のサイズは、例えば、いわゆるAPS-Cサイズであり、撮影画像のアスペクト比は、３：２（横：縦）になっている。
【００７０】
画像処理部１０３は、撮影部１０２からの撮影画像の画像信号に対して、相関二重サンプリング、ゲイン調整、A/D（Analog / Digital）変換などの画像処理を行う。画像処理部１０３は、その画像処理の結果得られる撮影画像のデジタルデータを、画像データとして、SDRAM８７に一時的に保持させながら、例えばJPEG（Joint Photographic Expert Group）方式等の所定の圧縮伸張方式で、その画像データを圧縮して、圧縮画像データを生成する。そして、画像処理部１０３は、その圧縮画像データを、制御部１０１（のその他の制御部１１３）に供給する。その他の制御部１１３は、画像処理部１０３からの圧縮画像データを、記録制御部１０８を介して、リムーバブルメモリ１１０に供給し、記録させる。さらに、画像処理部１０３は、リムーバブルメモリ１１０から読み出された圧縮画像データを伸張する。
【００７１】
また、画像処理部１０３は、画像処理後の画像データや、伸張後の画像データに、表示項目選択部１１１からの撮影画像の記録や再生に関する項目のデータを合成し、その合成後の画像データを、画像表示部１０５に供給する。
【００７２】
画像表示部１０５は、例えば、図３のEVF６１やLCD６２から構成され、画像処理部１０３から供給される画像データに基づいて、画像を表示する。即ち、画像表示部１０５には、撮影画像と項目が同時に表示される。ここで、画像表示部１０５の表示画面のアスペクト比は、例えば、４：３となっている。
【００７３】
操作部１０６は、図１乃至図３に示した各種のボタン(例えば、電源ボタン２０、シャッタボタン２１など)から構成される。操作部１０６は、ユーザからの操作を受け付け、その操作を表す操作信号を制御部１０１に供給する。
【００７４】
フラッシュメモリ１０７は、項目のデータ、各種のパラメータ、プログラムなどを記憶する。
【００７５】
記録制御部１０８は、その他の制御部１１３の制御により、その他の制御部１１３から供給される圧縮画像データを、リムーバブルメモリ１１０に記録させる。読み出し制御部１０９は、その他の制御部１１３の制御により、リムーバブルメモリ１１０に記録されている圧縮画像データを読み出し、その他の制御部１１３に供給する。
【００７６】
以上のように構成されるデジタルカメラ１では、撮影部１０２が、被写体を撮影する。制御部１０１の状態判定部１１２は、操作部１０６からの操作信号に基づいて、デジタルカメラ１の状態を判定し、表示項目選択部１１１は、その判定結果に応じて、フラッシュメモリ１０７に記憶されている項目のデータから、表示する項目のデータを選択する。そして、表示項目選択部１１１は、その選択した項目のデータを画像処理部１０３に供給し、画像処理部１０３は、その項目（のデータ）を、撮影部１０２により撮影された結果得られる撮影画像（の画像データ）と合成して、画像表示部１０５に表示させる。
【００７７】
次に、図６を参照して、図５の画像表示部１０５（のEVF６１またはLCD６２）の表示領域について説明する。
【００７８】
上述したように、撮影画像のアスペクト比は、３：２であるので、アスペクト比が４：３の画像表示部１０５の表示領域１２０において、撮影画像の横方向の長さと、表示領域１２０の横方向の長さとを一致させて、撮影画像を表示する場合、表示領域１２０は、縦方向に、撮影画像が表示される表示領域１２１と、撮影画像が表示されない非表示領域１２２とに分割される。なお、図６では、画像表示部１０５の表示領域１２０のうち、表示領域１２１が上部に配置され、下部に非表示領域１２２が配置されている。
【００７９】
ここで、デジタルカメラ１において、撮影画像が表示されない非表示領域１２２には、撮影画像の記録や表示に関する項目が表示される。図６では、合焦の有無を表す項目「合焦マーク」、ISO感度を表す項目「ISO感度」、シャッタスピードを表す項目「シャッタスピード」、絞り値を表す「絞り値」、Ｅｖの補正値を表す項目「Ｅｖレバー」が、表示されている。
【００８０】
以上のように、撮影画像の記録や表示に関する項目は、撮影画像が表示されない非表示領域１２２に表示されるので、項目と撮影画像が重複せず、項目と撮影画像を視認し易くすることが可能となる。
【００８１】
次に、図７Ａ乃至図７Ｄを参照して、デジタルカメラ１の状態に応じて、画像表示部１０５の非表示領域１２２に表示される項目について説明する。
【００８２】
図７Ａは、ユーザにより電源ボタン２０（図１）が操作され、デジタルカメラ１の電源がオンにされた直後の状態で、画像表示部１０５の非表示領域１２２に表示される項目の例を示している。
【００８３】
図７Ａに示すように、電源がオンにされた直後の状態では、非表示領域１２２には、バッテリの残量を表す項目「バッテリ」、バッテリによりデジタルカメラ１を駆動することが可能な時間を表す項目「残量時間」、撮影画像のサイズを表す項目「画サイズ」、リムーバブルメモリ１１０（図５）への記録の形式を表す項目「記録形式」、画像処理部１０３による圧縮の率を表す項目「圧縮率」、撮影画像の発色感を表す項目「色再現」、現在日時を撮影画像中に入れるか入れないか（撮影画像とともに現在日時を表示させるかさせないか（撮影画像に現在日時を重畳させるかさせないか））を表す項目「日付」、いまからリムーバブルメモリ１１０に記録可能な撮影画像の枚数を表す項目「残枚数」、および使用しているリムーバブルメモリ１１０（メディア）の種類を表す項目「メディア」が表示される。
【００８４】
即ち、電源がオンにされた直後の状態では、撮影に関する基本的な情報を表す項目が、非表示領域１２２に表示される。
【００８５】
図７Ｂは、ユーザによりメニューボタン６５（図３）が操作され、デジタルカメラ１が各種の設定のためのメニュー画面を表示させる状態、またはユーザにより設定モード（フォーカスモード、測光モード、フラッシュモード、ＷＢモード、ドライブモード）を選択するときに操作されるボタン（以下、設定モードボタンという）が操作され、デジタルカメラ１が撮影画像の記録に関する設定を行う状態のときに、非表示領域１２２に表示される項目の例を示している。
【００８６】
図７Ｂに示すように、非表示領域１２２には、フォーカスモードを表す項目「フォーカスモード」、測光モードを表す項目「測光モード」、フラッシュモードを表す項目「フラッシュモード」、およびＷＢモードを表す項目「ＷＢモード」、ドライブモードを表す項目「ドライブモード」が表示される。
【００８７】
即ち、デジタルカメラ１が各種の設定のためのメニュー画面を表示させる状態、または撮影画像の記録に関する設定を行う状態であるとき、設定モードを表す項目が、非表示領域１２２に表示される。
【００８８】
図７Ｃは、ユーザによりシャッタボタン２１（図１）が半押しされ、デジタルカメラ１が、撮影画像の記録の準備動作を行う状態、もしくはユーザによりメインダイヤル３１またはサブダイヤル３２が操作され、デジタルカメラ１がISO感度、シャッタスピード、絞り値、またはＥｖ補正値の設定を変更する状態のときに、非表示領域１２２に表示される項目の例を示している。
【００８９】
図７Ｃに示すように、非表示領域１２２には、合焦の有無を表す項目「合焦マーク」、フラッシュ発光の有無を表す項目「フラッシュ発光マーク」、ISO感度を表す項目「ISO感度」、シャッタスピードを表す項目「シャッタスピード」、絞り値を表す項目「絞り値」、Ｅｖの補正値を表す「Ｅｖバー」、およびＡＥロックモードに入ったかどうかを表す項目「ＡＥロック」が表示される。
【００９０】
即ち、デジタルカメラ１が撮影画像の記録の準備動作を行う状態、もしくはISO感度、シャッタスピード、絞り値、またはＥｖ補正値の設定を変更する状態であるとき、撮影画像の記録の動作モードに関する項目が、非表示領域１２２に表示される。
【００９１】
図７Ｄは、ユーザにより再生ボタン６４が操作され、デジタルカメラ１で、リムーバブルメモリ１１０から読み出された（再生された）撮影画像が、画像表示部１０５の表示領域１２１に表示される状態（再生状態）、即ち動作モードが再生モードである状態のときに、非表示領域１２２に表示される項目の例を示している。
【００９２】
図７Ｄに示すように、リムーバブルメモリ１１０から読み出された撮影画像が、表示領域１２１に表示される状態のとき、非表示領域１２２には、項目「バッテリ」、項目「残量時間」、項目「画サイズ」、項目「シャッタスピード」、項目「絞り値」、いま読み出される撮影画像の、先頭からの枚数を表す項目「○番目」、リムーバブルメモリ１１０に記録されている撮影画像の総枚数を表す項目「記録枚数」、および使用しているリムーバブルメモリ１１０（メディア）の種類を表す項目「メディア」が表示される。
【００９３】
即ち、デジタルカメラ１の動作モードが再生モードである状態のとき、再生(読み出し)に関する情報を表す項目が、非表示領域１２２に表示される。
【００９４】
なお、リムーバブルメモリ１１０から読み出された撮影画像が、表示領域１２１に表示される状態のとき、項目を表示しないようにしてもよい。このように、項目を表示しない場合には、例えば、図８に示すように、撮影画像が表示される表示領域１４１を、画像表示部１０５の表示領域１４０の略中央に配置し、その上部と下部に、画像が表示されない非表示領域１４２ａと１４２ｂを配置することができる。
【００９５】
リムーバブルメモリ１１０から読み出された撮影画像が、表示領域１２１に表示される状態のときに、非表示領域１２２に図７Ｄに示した項目を表示させるか、図８に示すように何も表示させないかは、例えば、ユーザにより選択される。具体的には、例えば、いずれかを選択するための操作ボタンが、デジタルカメラ１に設けられており、ユーザは、その操作ボタンを操作することにより、項目の表示または非表示のうちのいずれかを選択する。なお、各種の設定を行うメニュー画面において、ユーザが項目の表示または非表示のうちのいずれかを選択するようにすることもできる。
【００９６】
また、画像処理部１０３では、画像データを画像表示部１０５に出力する他、デジタルカメラ１に接続された外部の装置に出力することができる。画像処理部１０３において、画像データを、画像表示部１０５に出力するとともに、デジタルカメラ１に接続されたアスペクト比が１６：９のテレビジョン受像機、いわゆるワイドテレビなどに出力する場合には、画像表示部１０５では、図７Ｄに示した項目を表示させ、ワイドテレビでは、項目を表示させないようにすることができる。
【００９７】
次に、図９Ａと図９Ｂを参照して、ユーザからの操作に応じて、画像表示部１０５の非表示領域１２２に表示される項目について説明する。
【００９８】
図９Ａは、ユーザが、モードダイヤル５１により撮影画像の記録時の動作モードを選択した後、メインダイヤル３１やサブダイヤル３２を操作することにより、絞り値の設定を行う場合に、非表示領域１２２に表示される項目を示している。
【００９９】
図９Ａに示すように、非表示領域１２２には、項目「ISO感度」、「シャッタスピード」、「絞り値」、「Ｅｖバー」が表示される。そして、これらの項目のうち、いま設定対象となっている絞り値を表す項目「絞り値」のみが異なる色で表示され、メインダイヤル３１やサブダイヤル３２の操作に応じて値が変更される。このように、項目「絞り値」のみが異なる色で表示されるので、設定対象である絞り値を表す項目「絞り値」を、その他の項目に対して容易に区別することができる。
【０１００】
なお、項目「絞り値」のみが異なる色となるように表示させるのではなく、例えば、項目「絞り値」にのみ矢印をつけるなどして、項目「絞り値」を、その他の項目に対して容易に区別することができるようにしてもよい。
【０１０１】
図９Ｂは、ユーザが、図２のＷＢモードボタン５３を操作（押下）しながら、サブダイヤル３２が操作することにより、ＷＢの微調整を行う場合に、非表示領域１２２に表示される項目を示している。
【０１０２】
ユーザが、ＷＢモードボタン５３を押下しながらメインダイヤル３１を操作する場合、非表示領域１２２には、項目「ＷＢモード」のみが表示される。そして、メインダイヤル３１の操作に応じて、項目「ＷＢモード」の表示が変更され、ＷＢモードの設定が変更される。例えば、ＷＢモードには、蛍光灯用のＷＢモードや太陽光用のＷＢモードなどがあり、ユーザはメインダイヤル３１を操作することにより、所望のＷＢモードを設定する。このとき、その操作に応じて、項目「ＷＢモード」の表示が変更される。さらに、ユーザが、ＷＢモードボタン５３を押下しながら、サブダイヤル３２を操作する場合、図９Ｂに示すように、ＷＢの微調整の値を表す項目「調整バー」も表示され、サブダイヤル３２の操作に応じて、項目「調整バー」の調整値を表す矢印が移動する。
【０１０３】
なお、項目「ＷＢモード」を、他の項目に対して容易に区別することができれば、図９Ｂに示すように、項目「ＷＢモード」のみを表示させるのではなく、他の項目とともに表示することができる。この場合、例えば、項目「ＷＢモード」が、他の項目と異なる色となるように表示させたり、項目「ＷＢモード」にのみ矢印をつけることができる。
【０１０４】
次に、図１０を参照して、図５のデジタルカメラ１が行う、デジタルカメラ１の状態に応じた表示制御処理を説明する。この状態に応じた表示制御処理は、例えば、ユーザにより電源ボタン２０が操作され、デジタルカメラ１の電源がオンされたときに、開始される。
【０１０５】
その他の制御部１１３は、操作部１０６からの電源ボタン２０の操作を表す操作信号に応じて、デジタルカメラ１の動作モードを撮影モード（カメラモード）とし、撮影部１０２を制御して、撮影を開始する。撮影部１０２は、撮影の結果得られる撮影画像（の画像信号）を、画像処理部１０３に供給する。
【０１０６】
そして、ステップＳ１１において、状態判定部１１２は、操作部１０６からの電源ボタン２０の操作を表す操作信号に基づいて、デジタルカメラ１の状態を、電源がオンされた状態であると判定し、その判定結果を表示項目選択部１１１に供給する。表示項目選択部１１１は、その判定結果に応じて、デジタルカメラ１の表示モードを、電源オン時表示モードに設定する。電源オン時表示モードでは、表示項目選択部１１１は、フラッシュメモリ１０７に記憶されている項目のデータから、項目「バッテリ」、「残量時間」、「画サイズ」、「記録形式」、「圧縮率」、「色再現」、「日付」、「残枚数」、および「メディア」のデータを選択し、その選択した項目のデータを読み出し、画像処理部１０３に供給する。
【０１０７】
画像処理部１０３は、表示項目選択部１１１からの項目のデータと、撮影部１０２からの撮影画像の画像信号に対応する画像データとを合成して、画像表示部１０５に供給して表示させる。これにより、画像表示部１０５においては、表示領域１２１（図６）に、撮影画像が表示され、非表示領域１２２に、図７Ａに示した項目が表示される。
【０１０８】
ステップＳ１１の処理後は、ステップＳ１２に進み、状態判定部１１２は、操作部１０６からの操作信号に基づいて、再生ボタン６４が操作されたかどうか、即ちデジタルカメラ１の動作モードが撮影モードから再生モードに変更される状態であるかどうかを判定する。
【０１０９】
ステップＳ１２において、再生ボタン６４が操作されたと判定された場合、状態判定部１１２は、その判定結果を表示項目選択部１１１に供給し、ステップＳ１３に進む。ステップＳ１３において、表示項目選択部１１１は、状態判定部１１２からの判定結果に応じて、表示モードを、再生時表示モードに設定する。再生時表示モードでは、表示項目選択部１１１は、フラッシュメモリ１０７に記憶されている項目のデータから、項目「バッテリ」、「残量時間」、「画サイズ」、「シャッタスピード」、「絞り値」、「○番目」、「記録枚数」、および「メディア」のデータを選択し、その選択した項目のデータを読み出し、画像処理部１０３に供給する。
【０１１０】
ステップＳ１３の処理後は、ステップＳ１４に進み、その他の制御部１１３は、操作部１０６からの再生ボタン６４の操作を表す操作信号に応じて、デジタルカメラ１の動作モードを撮影モードから再生モードに変更し、リムーバブルメモリ１１０に記録されている撮影画像を再生する（読み出す）。具体的には、その他の制御部１１３は、撮影部１０２を制御して撮影を終了し、読み出し制御部１０９を制御して、リムーバブルメモリ１１０から所定の撮影画像の圧縮画像データを読み出し（再生し）、画像処理部１０３に供給する。
【０１１１】
画像処理部１０３は、その他の制御部１０３からの撮影画像の圧縮画像データを伸張し、その結果得られる画像データと、ステップＳ１２で表示項目選択部１１１から供給される項目のデータとを合成し、画像表示部１０５に供給する。その結果、画像表示部１０５の非表示領域１２２には、図７Ｄに示した項目が表示され、表示領域１２１には、リムーバブルメモリ１１０から読み出された撮影画像が表示される。
【０１１２】
ステップＳ１４の処理後は、ステップＳ１５に進み、状態判定部１１２は、操作部１０６からの操作信号に基づいて、電源をオフにするかどうか、即ち電源ボタン２０が再度操作されたかどうかを判定し、電源ボタン２０が再度操作されたと判定された場合、その他の制御部１１３は、電源をオフにして、処理を終了する。
【０１１３】
一方、ステップＳ１５において、電源ボタン２０が再度操作されていないと判定された場合、ステップＳ１６に進み、状態判定部１１２は、操作部１０６からの操作信号に基づいて、動作モードを再生モードから撮影モードに変更するかどうか、即ち、再生ボタン６４またはシャッタボタン２１が操作されたかどうかを判定する。
【０１１４】
ステップＳ１６において、動作モードを撮影モードに変更しないと判定された場合、処理はステップＳ１４に戻る。ここで、ユーザは、例えば十字セレクタボタン７０（図３）を操作し、リムーバブルメモリ１１０に記録されている撮影画像のうち、所望の撮影画像を選択することができる。ステップＳ１４において、その他の制御部１１３は、操作部１０６からの十字セレクタボタン７０の操作を表す操作信号に基づいて、読み出し制御部１０９を制御し、リムーバブルメモリ１１０からユーザの所望の撮影画像のデータを読み出し、上述した処理を繰り返す。
【０１１５】
また、ステップＳ１６において、動作モードを撮影モードに変更すると判定された場合、その他の制御部１１３は、動作モードを再生モードから撮影モードに変更する。具体的には、その他の制御部１１３は、読み出し制御部１０９を制御して、リムーバブルメモリ１１０からの撮影画像のデータの読み出しを終了する。そして、その他の制御部１１３は、撮影部１０２を制御し、撮影を開始させる。従って、画像処理部１０３には、撮影部１０２から撮影画像の画像信号が供給される。
【０１１６】
ステップＳ１２で再生ボタン６４が操作されていないと判定された場合、またはステップＳ１６の処理後は、ステップＳ１７に進み、状態判定部１１２は、操作部１０６からの操作信号に基づいて、ユーザによりメニューボタン６５が操作されたかどうかを判定し、メニューボタン６５が操作されたと判定した場合、その判定結果を表示項目選択部１１１に供給し、ステップＳ１９に進む。
【０１１７】
また、ステップＳ１７において、メニューボタン６５が操作されていないと判定された場合、ステップＳ１８に進み、状態判定部１１２は、操作部１０６からの操作信号に基づいて、設定モード（フォーカスモード、測光モード、フラッシュモード、ＷＢモード、ドライブモード）を選択するときに操作される設定モードボタンが操作されたかどうかを判定し、設定モードボタンが操作されたと判定した場合、その判定結果を表示項目選択部１１１に供給し、ステップＳ１９に進む。
【０１１８】
ステップＳ１９において、表示項目選択部１１１は、状態判定部１１２からの判定結果に応じて、表示モードを、設定時表示モードに設定する。設定時表示モードでは、表示項目選択部１１１は、フラッシュメモリ１０７に記憶されている項目のデータから、項目「フォーカスモード」、「測光モード」、「フラッシュモード」、「ＷＢモード」、および「ドライブモード」のデータを選択し、その選択した項目のデータを読み出し、画像処理部１０３に供給する。その結果、画像表示部１０５の非表示領域１２２には、図７Ｂに示した項目が表示され、表示領域１２１には、撮影部１０２から画像処理部１０３を介して供給される撮影画像が表示される。
【０１１９】
ステップＳ１８において、設定モードボタンが操作されていないと判定された場合、またはステップＳ１９の処理後は、ステップＳ２０に進み、状態判定部１１２は、操作部１０６からの操作信号に基づいて、ISO感度の設定、シャッタスピードの設定、絞り値の設定、またはＥｖ補正値が変更されかどうかを判定する。
【０１２０】
具体的には、状態判定部１１２は、ISOボタン６８が押下されながらメインダイヤル３１が操作され、ISO感度モードの設定が変更されたかどうかを判定する。また、状態判定部１１２は、撮影画像の記録時の動作モードが選択されている場合に、メインダイヤル３１またはサブダイヤル３２が操作され、シャッタスピード、絞り値、Ｅｖ補正値、またはプログラムシフト（絞り値とシャッタスピードの組み合わせ）の設定が変更されたかどうかを判定する。
【０１２１】
ステップＳ２０において、ISO感度モード、シャッタスピード、絞り値、Ｅｖ補正値、またはプログラムシフトの設定が変更されたと判定された場合、状態判定部１１２は、その判定結果を表示項目選択部１１１に供給し、ステップＳ２２に進む。
【０１２２】
一方、ステップＳ２０において、ISO感度モード、シャッタスピード、絞り値、Ｅｖ補正値、またはプログラムシフトの設定が変更されていないと判定された場合、ステップＳ２１に進み、状態判定部１１２は、操作部１０６からの操作信号に基づいて、シャッタボタン２１が半押しされているかどうか、即ちデジタルカメラ１の状態が撮影画像の記録の準備動作を行う状態であるかどうかを判定し、シャッタボタン２１が半押しされたと判定した場合、その判定結果を表示項目選択部１１１に供給してステップＳ２２に進む。
【０１２３】
ステップＳ２２において、表示項目選択部１１１は、状態判定部１１２からの判定結果に応じて、表示モードを、撮影記録時表示モードに設定する。
【０１２４】
撮影記録時表示モードでは、表示項目選択部１１１は、フラッシュメモリ１０７に記憶されている項目のデータから、項目「合焦マーク」、「フラッシュ発光マーク」、「ISO感度」、「シャッタスピード」、「絞り値」、「Ｅｖバー」、および「ＡＥロック」のデータを選択し、その選択した項目のデータを読み出し、画像処理部１０３に供給する。その結果、画像表示部１０５の非表示領域１２２には、図７Ｃに示した項目が表示され、表示領域１２１には、撮影部１０２から画像処理部１０３を介して供給される撮影画像が表示される。
【０１２５】
これにより、ユーザは、非表示領域１２２に表示される図７Ｃに示した撮影画像の記録の動作モードに関する項目を見ながら、例えば、シャッタボタン２１を全押しして、表示領域１２１に表示される撮影画像を記録することができる。
【０１２６】
ステップＳ２２の処理後は、ステップＳ２３に進み、状態判定部１１２は、操作部１０６からの操作信号に基づいて、シャッタボタン２１が全押しされたかどうかを判定し、シャッタボタンが全押しされたと判定した場合、ステップＳ２４に進む。
【０１２７】
ステップＳ２４において、その他の制御部１１３は、操作部１０６からシャッタボタン２１の全押しの操作を表す操作信号が供給されたタイミングで撮影部１０２から供給された撮影画像を、記録制御部１０８を制御して、リムーバブルメモリ１１０に記録させる。
【０１２８】
ステップＳ２１でシャッタボタン２１が半押しされていないと判定された場合、ステップＳ２３でシャッタボタン２１が全押しされていないと判定された場合、またはステップＳ２４の処理後は、ステップＳ２５に進み、状態判定部１１２は、ステップＳ１５の処理と同様に、操作部１０６からの操作信号に基づいて、電源をオフにするかどうかを判定し、電源をオフにすると判定した場合、その他の制御部１１３は、電源をオフにして、処理を終了する。
【０１２９】
一方、ステップＳ２５において、電源ボタン２０をオフにしないと判定された場合、ステップＳ１２に戻り、上述した処理が繰り返される。
【０１３０】
以上のようにして、デジタルカメラ１では、画像表示部１０５の非表示領域１１２に、デジタルカメラ１の状態に応じた項目が表示される。ユーザの確認の必要性の高い項目は、デジタルカメラ１の状態に応じて異なるものである。従って、デジタルカメラ１では、デジタルカメラ１の状態に応じて、表示する項目を変化させることにより、ユーザの所望の項目を表示させることができる。
【０１３１】
次に、図１１を参照して、図５のデジタルカメラ１が行う、ユーザからの操作に応じた表示制御処理を説明する。
【０１３２】
ステップＳ３１において、状態判定部１１２は、操作部１０６からの操作信号に基づいて、設定モード（フォーカスモード、測光モード、フラッシュモード、ＷＢモード、ドライブモード）を選択するときに操作される設定モードボタンが操作されているかどうかを判定し、設定モードボタンが操作されていると判定した場合、その判定結果を表示項目選択部１１１に供給し、ステップＳ３２に進む。
【０１３３】
ステップＳ３２において、表示項目選択部１１１は、状態判定部１１２からの判定結果が表す設定モードボタンの操作に基づいて、フラッシュメモリ１０７に記憶されている項目のデータから、所定の項目のデータを選択し、画像表示部１０５の非表示領域１２２に、その所定の項目を表示させる。例えば、ユーザにより、ＷＢモードボタン５３を操作されている場合、表示項目選択部１１１は、項目「ＷＢモード」のデータを選択し、非表示領域１２２に、項目「ＷＢモード」を表示させる。
【０１３４】
一方、ステップＳ３１において、設定モードボタンが操作されていないと判定された場合、ステップＳ３２をスキップして、ステップＳ３３に進む。
【０１３５】
ステップＳ３３において、状態判定部１１２は、操作部１０６からの操作信号に基づいて、メインダイヤル３１（図１）が操作されたかどうかを判定し、メインダイヤル３１が操作されたと判定した場合、その判定結果を表示項目選択部１１１に供給し、ステップＳ３４に進む。
【０１３６】
ステップＳ３４において、表示項目選択部１１１は、状態判定部１１２からの判定結果が表すメインダイヤル３１の操作と、いま選択されているモード（撮影画像の記録時の動作モード、フラッシュモード、または設定モード）とに基づいて、フラッシュメモリ１０７に記憶されている項目のデータから、所定の項目のデータを選択し、画像表示部１０５の非表示領域１２２に、その所定の項目を表示させる。例えば、ユーザが、モードダイヤル５１を操作して撮影画像の記録時の動作モードとして、Ａモードを選択している場合に、ユーザがメインダイヤル３１を操作するとき、非表示領域１２２には、図９Ａに示した項目が表示され、ユーザによるメインダイヤル３１の操作に応じて、項目「絞り値」の値が変化する。
【０１３７】
即ち、図４Ａに示したように、撮影画像の記録時の動作モードがＡモードである場合、メインダイヤル３１には、絞り値を設定するための機能が割り当てられているので、画像表示部１０５の非表示領域１２２に表示される項目のうち、項目「絞り値」が、他の項目とは異なる色で表示される。ユーザは、非表示領域１２２に表示される項目を見ながら、メインダイヤル３１を操作することにより、絞り値を所望の値に設定する。このとき、画像表示部１０５の非表示領域１２２では、ユーザによるメインダイヤル３１の操作に応じて、項目「絞り値」の値が、所望の値に変更される。
【０１３８】
一方、ステップＳ３３において、メインダイヤル３１が操作されていないと判定された場合、ステップＳ３４をスキップして、ステップＳ３５に進む。
【０１３９】
ステップＳ３５において、状態判定部１１２は、操作部１０６からの操作信号に基づいて、サブダイヤル３２が操作されたかどうかを判定し、サブダイヤル３２が操作されたと判定した場合、その判定結果を表示項目選択部１１１に供給し、ステップＳ３６に進む。
【０１４０】
ステップＳ３６において、表示項目選択部１１１は、状態判定部１１２からの判定結果が表すサブダイヤル３２の操作と、いま選択されているモードとに基づいて、フラッシュメモリ１０７に記憶されている項目のデータから、所定の項目のデータを選択し、画像表示部１０５の非表示領域１２２に、その所定の項目を表示させる。例えば、ユーザが、ＷＢモードボタン５３を操作してＷＢモードを選択している場合に、ユーザがサブダイヤル３２を操作するとき、非表示領域１２２には、図９Ｂに示した項目が表示され、ユーザによるサブダイヤル３２の操作に応じて、項目「調整バー」の矢印の位置が変化する。
【０１４１】
即ち、図４Ｂに示したように、ＷＢモードが選択されている場合、サブダイヤル３２には、ＷＢを微調整するための機能が割り当てられているので、画像表示部１０５の非表示領域１２２には、ステップＳ３１で表示された項目「ＷＢモード」のほかに、項目「調整バー」が表示される。ユーザは、非表示領域１２２に表示される項目を見ながら、サブダイヤル３２を操作することにより、ＷＢの調整値を所望の値に設定する。このとき、画像表示部１０５の非表示領域１２２では、ユーザによるサブダイヤル３２の操作に応じて、項目「調整バー」の矢印の位置が、ユーザの所望の値に対応する位置に変更される。
【０１４２】
ステップＳ３５において、サブダイヤル３２が操作されていないと判定された場合、またはステップＳ３６の処理後は、ステップＳ３１に戻り、上述した処理を繰り返す。
【０１４３】
以上のように、図１のデジタルカメラ１では、デジタルカメラ１の状態が、電源がオンにされた状態、撮影画像の記録の準備を行う状態、所定の情報を設定する状態、またはリムーバブルメモリ１１０から読み出された撮影画像が、表示領域１２１に表示される（動作モードが再生モードである）状態とされたが、デジタルカメラ１の状態は、これに限定されるものではない。例えば、合焦した状態、またはユーザによりＡＥロックモードが設定された状態などを、デジタルカメラ１の状態とすることも可能である。
【０１４４】
また、デジタルカメラ１では、調整を行うために、メインダイヤル３１とサブダイヤル３２の２つのダイヤルが設けられたが、１つのダイヤルだけが設けられるようにしてもよい。さらに、デジタルカメラ１には、ダイヤルが設けられず、ユーザが、十字セレクタボタン７０などで調整を行うようにしてもよい。
【０１４５】
さらに、上述した説明では、ユーザが、フラッシュモードボタン５２，ＷＢモードボタン５３、測光ボタン６３，ISOボタン６８、またはドライブモードボタン６９を操作（押下）しながら、メインダイヤル３１やサブダイヤル３２を操作して、各種の設定を行うようにしたが、ユーザが、フラッシュモードボタン５２，ＷＢモードボタン５３、測光ボタン６３，ISOボタン６８、またはドライブモードボタン６９を操作した後、メインダイヤル３１やサブダイヤル３２を操作することにより、各種の設定を行うようにしてもよい。
【０１４６】
図１２は、本発明を適用したデジタルカメラの他の一実施の形態の構成例を示すブロック図である。
【０１４７】
図１２のデジタルカメラ２００では、フラッシュメモリ２０２が、各項目の使用（選択）の頻度を表す使用頻度テーブル２２１を記憶しており、制御部２０１は、その使用頻度テーブル２２１に基づいて、項目を選択し、その選択した項目を画像表示部１０５の非表示領域１２２に表示させる。
【０１４８】
なお、図５と同一の符号を付したものは、図５のそれらと同一のものであり、説明は繰り返しになるので省略する。
【０１４９】
制御部２０１は、表示項目選択部２１１、使用頻度管理部２１２、およびその他の制御部１１３により構成される。表示項目選択部２１１は、フラッシュメモリ２０２に記憶されている使用頻度テーブル２２１に基づいて、フラッシュメモリ２０２に記憶されている項目のデータから、所定の項目のデータを選択し、その選択した項目のデータを読み出して、画像処理部１０３に供給する。使用頻度管理部２１２は、操作部１０６からの操作信号に応じて、フラッシュメモリ２０２に記憶されている使用頻度テーブル２２１を更新する。
【０１５０】
フラッシュメモリ２０２は、項目のデータ、各種のパラメータ、プログラムのほかに、各項目の使用頻度を表す使用頻度テーブル２２１を記憶する。
【０１５１】
次に、図１３は、図１２の使用頻度テーブル２２１の例を示している。
【０１５２】
図１３に示すように、使用頻度テーブル２２１は、各項目の名前(項目名)に、その項目の使用回数（使用頻度）と使用頻度レベルが対応付けられている。ここで、使用頻度レベルとは、使用回数に応じて決定される。例えば、ユーザは、使用頻度レベル「高」と「低」に対応する使用回数を設定する。そして、使用回数が、使用頻度レベル「高」に対応して設定された回数以上である場合、対応する項目の使用頻度レベルが「高」に設定され、使用回数が、使用頻度レベル「低」に対応して設定された回数以下である場合、対応する項目の使用頻度レベルが「低」に設定される。また、使用頻度レベルが「高」にも「低」にも設定されない項目の使用頻度レベルは、「中」に設定される。
【０１５３】
図１３では、項目名「ISO感度」に、使用回数の「５回」と使用頻度レベルの「低」とが対応付けられている。即ち、ユーザは、図３のISOボタン６８を５回操作し、ISO感度を表す項目「ISO感度」を５回使用(選択)している。また、項目名「シャッタスピード」に、使用回数「３０回」と使用頻度レベルの「中」が、項目名「絞り値」に、使用回数「１５０回」と使用頻度レベル「高」が対応付けられている。
【０１５４】
次に、図１４を参照して、図１２のデジタルカメラ２００が行う、使用頻度テーブル２２１に基づく、表示制御処理について説明する。      
【０１５５】
ステップＳ５１において、制御部２０１の表示項目選択部２１１は、フラッシュメモリ２０２に記憶されている使用頻度テーブル２２１（図１３）から、使用頻度レベルが「高」の項目名を読み出す。例えば、フラッシュメモリ２０２に、図１３に示した使用頻度テーブル２２１が記憶されている場合、表示項目選択部２１１は、使用頻度レベルの「高」に対応付けられている項目名「絞り値」を読み出す。
【０１５６】
ステップＳ５１の処理後は、ステップＳ５２に進み、表示項目選択部２１１は、ステップＳ５１で読み出した項目名(例えば、項目名「絞り値」)に対応する項目(例えば、項目「絞り値」)を、画像表示部１０５の非表示領域１２２に表示させる。具体的には、表示項目選択部２１１は、フラッシュメモリ２０２に記憶されている項目のデータから、項目「絞り値」のデータを選択して読み出し、画像処理部１０３に供給する。
【０１５７】
ここで、デジタルカメラ２００の動作モードが撮影モードである場合、画像処理部１０３には、撮影部１０２から撮影画像の画像信号が供給され、動作モードが再生モードである場合、画像処理部１０３には、その他の制御部１１３からリムーバブルメモリ１１０に記録されている圧縮画像データが供給される。画像処理部１０３は、表示項目選択部２１１からの項目「絞り値」のデータと、撮影部１０２からの撮影画像の画像信号に対応する画像データまたはその他の制御部１１３から供給される圧縮画像データに対応する画像データとを合成し、画像表示部１０５に出力する。その結果、画像表示部１０５の表示領域１２１には、撮影画像が表示され、非表示領域１２２には、項目「絞り値」が表示される。
【０１５８】
ステップＳ５２の処理後は、ステップＳ５３に進み、表示項目選択部２１１は、使用頻度テーブル２２１から、使用頻度レベルが「中」の項目名を読み出す。例えば、表示項目選択部２１１は、図１３の使用頻度テーブル２２１から使用頻度レベルの「中」に対応付けられている項目名「シャッタスピード」を読み出す。
【０１５９】
ステップＳ５３の処理後は、ステップＳ５４に進み、表示項目選択部２１１は、ステップＳ５３で読み出した項目名(例えば、項目名「シャッタスピード」)に対応する項目(例えば、項目「シャッタスピード」)のデータを、フラッシュメモリ２０２から読み出し、項目「シャッタスピード」を非表示領域１２２に表示させ、ステップＳ５５に進む。
【０１６０】
ステップＳ５５において、表示項目選択部２１１は、使用頻度テーブル２２１から、使用頻度レベルが「低」の項目名を読み出す。例えば、表示項目選択部２１１は、図１３の使用頻度テーブル２２１から使用頻度レベルの「低」に対応付けられている項目名「ISO感度」を読み出す。
【０１６１】
ステップＳ５５の処理後は、ステップＳ５６に進み、表示項目選択部２１１は、ステップＳ５５で読み出した項目名(例えば、項目名「ISO感度」)に対応する項目（例えば、項目「ISO感度」）のデータを、フラッシュメモリ２０２から読み出し、非表示領域１２２に表示させ、ステップＳ５１に戻る。
【０１６２】
以上のようにして、図１２のデジタルカメラ２００では、画像表示部１０５の非表示領域１２２に、使用頻度レベルの高い方から順に、項目が表示される。使用頻度の高い項目は、使用頻度の低い項目に比べて、ユーザにとってこだわりのある項目であり、ユーザの確認の必要性が高い。従って、デジタルカメラ２００では、使用頻度の高い方から順に、項目を表示させることにより、ユーザの所望の項目を表示させることができる。
【０１６３】
なお、上述した図１４の説明では、使用頻度レベルの高い方から順に、表示される項目が自動的に変更されたが、デジタルカメラ２００において、非表示領域１２２に表示する項目を切り替える切替ボタンを設け、ユーザが、その切替ボタンを操作することにより、非表示領域１２２に表示する項目を切り替えるようにすることもできる。
【０１６４】
また、ユーザによりメインダイヤル３１やサブダイヤル３２、または設定モードボタンが操作される場合、表示項目選択部２１１は、図１１の操作に応じた表示制御処理を行う。
【０１６５】
次に、図１５を参照して、デジタルカメラ２００の使用頻度管理部２１２が行う使用頻度テーブル変更処理を説明する。この使用頻度テーブル変更処理は、例えば、ユーザによりメインダイヤル３１やサブダイヤル３２、または設定モードボタンが操作されたとき、開始される。
【０１６６】
ステップＳ７１において、使用頻度管理部２１２は、操作部１０６からの操作信号に応じて、ユーザによるメインダイヤル３１やサブダイヤル３２、または設定モードボタンの操作に対応する項目、即ちユーザにより選択された項目の使用頻度テーブル２２１（図１３）の使用回数を１だけインクリメントする。
【０１６７】
例えば、ユーザが、ISOボタン６８を操作しながら、ユーザがメインダイヤル３１を操作した場合、図４Ｂに示したように、メインダイヤル３１に割り当てられた機能は、ISO感度を設定するための機能であるので、ユーザのメインダイヤル３１の操作に対応する項目は、ISO感度を表す項目「ISO感度」である。そこで、フラッシュメモリ２０２に、図１３に示した使用頻度テーブル２２１が記憶されている場合、使用頻度管理部２１２は、項目名「ISO感度」に対応付けられている使用回数「５回」を、１だけインクリメントして、「６回」にする。
【０１６８】
ステップＳ７１の処理後は、ステップＳ７２に進み、使用頻度管理部２１２は、使用頻度レベルが上がったかどうかを判定する。具体的には、項目名「ISO感度」に対応付けられている使用回数「５回」を「６回」に更新した場合、項目名「ISO感度」の使用頻度レベルは、「低」であるので、使用頻度管理部２１２は、更新後の使用回数「６回」が、使用頻度レベル「低」に予め対応付けられている使用回数以下であるかどうかを判定する。そして、使用頻度管理部２１２は、使用回数「６回」が、使用頻度レベル「低」に対応付けられている使用回数以下であると判定した場合、使用頻度レベルは上がっていないと判定し、対応付けられている使用回数より大きいと判定した場合、使用頻度レベルは上がっていると判定する。
【０１６９】
ステップＳ７２において、使用頻度レベルが上がっていると判定された場合、使用頻度管理部２１２は、いま対象となっている項目の使用頻度レベルを、いまの使用頻度レベルより上のレベルに変更（更新）する。例えば、いま対象となっている項目の使用頻度レベルが「低」である場合、その使用頻度レベルを「中」に変更し、処理を終了する。
【０１７０】
一方、ステップＳ７２において、使用頻度レベルが上がっていないと判定された場合、使用頻度管理部２１２は、ステップＳ７３をスキップして、処理を終了する。
【０１７１】
図１６は、本発明を適用したデジタルカメラの第３実施の形態の構成例を示すブロック図である。
【０１７２】
図１６のデジタルカメラ３００では、フラッシュメモリ３０２が、各項目の使用(選択)履歴を表す使用履歴テーブル３２１を記憶しており、制御部３０１は、その使用履歴テーブル３２１に基づいて、項目を選択し、その選択した項目を画像表示部１０５の非表示領域１２２に表示させる。
【０１７３】
なお、図５と同一の符号を付したものは、図５のそれらと同一のものであり、説明は繰り返しになるので省略する。
【０１７４】
制御部３０１は、表示項目選択部３１１、使用履歴管理部３１２、およびその他の制御部１１３により構成される。表示項目選択部３１１は、フラッシュメモリ３０２に記憶されている使用履歴テーブル３２１に基づいて、フラッシュメモリ３０２に記憶されている項目のデータから、所定の項目のデータを選択し、その選択した項目のデータを読み出して、画像処理部１０３に供給する。使用履歴管理部３１２は、操作部１０６からの操作信号に応じて、計時部３０３から現在の日時を読み出し、フラッシュメモリ３０２に記憶されている使用履歴テーブル３２１を更新する。
【０１７５】
フラッシュメモリ３０２は、項目のデータ、各種のパラメータ、プログラムのほかに、各項目の使用履歴を表す使用履歴テーブル３２１を記憶する。計時部３０３は、現在の日時を計時する。
【０１７６】
次に、図１７は、図１６の使用履歴テーブル３２１の例を示している。
【０１７７】
図１７に示すように、使用履歴テーブル３２１では、各項目の名前（項目名）に、その項目を最後に使用した日付が、使用履歴として対応付けられている。
【０１７８】
図１７では、項目名「ドライブモード」に、使用履歴の「2004/11/12/19:00（2004年11月12日19時）」が対応付けられている。即ち、ユーザが、図３のドライブモードボタン６９を操作した最新の日時が、2004年11月12日の19時である。また、項目名「絞り値」に、使用履歴「2004/10/10/11:00」が、項目名「ＷＢモード」に、使用履歴「2004/11/3/13:15」が対応付けられている。
【０１７９】
次に、図１８を参照して、図１６のデジタルカメラ３００が行う、使用履歴テーブル３２１に基づく、表示制御処理について説明する。      
【０１８０】
ステップＳ９１において、制御部３０１の表示項目選択部３１１は、フラッシュメモリ３０２に記憶されている使用履歴テーブル３２１から、使用履歴の新しい順に、例えば、ユーザにより予め設定されたＭ個の項目名を読み出す。例えば、フラッシュメモリ３０２に、図１７に示した使用履歴テーブル３２１が記憶されている場合、Ｍが１であるとき、表示項目選択部３１１は、使用履歴の一番新しい項目名「ドライブモード」を読み出す。
【０１８１】
ステップＳ９１の処理後は、ステップＳ９２に進み、表示項目選択部３１１は、ステップＳ９１で読み出した項目名（例えば、項目名「ドライブモード」）に対応する項目(例えば、項目「ドライブモード」)を、画像表示部１０５の非表示領域１２２に表示させる。ここで、デジタルカメラ３００の動作モードが撮影モードである場合、画像処理部１０３には、撮影部１０２から撮影画像の画像信号が供給され、動作モードが再生モードである場合、画像処理部１０３には、その他の制御部１１３からリムーバブルメモリ１１０に記録されている圧縮画像データが供給される。その結果、画像表示部１０５の表示領域１２１には撮影画像が表示される。
【０１８２】
ステップＳ９２の処理後は、ステップＳ９３に進み、表示項目選択部３１１は、使用履歴テーブル３２１から、ステップＳ９１で読み出した項目名の次に新しい順に、Ｍ個の項目名を読み出す。例えば、表示項目選択部３１１は、図１７の使用履歴テーブル３２１から、次に使用履歴が新しい項目名「ＷＢモード」を読み出す。
【０１８３】
ステップＳ９３の処理後は、ステップＳ９４に進み、表示項目選択部３１１は、ステップＳ９３で読み出した項目名(例えば、項目名「ＷＢモード」)に対応する項目(例えば、項目「ＷＢモード」)を、画像表示部１０５の非表示領域１２２に表示させ、ステップＳ９５に進む。
【０１８４】
ステップＳ９５において、表示項目選択部３１１は、使用履歴テーブル３２１から、まだ読み出していない項目名を読み出す。例えば、表示項目選択部３１１は、図１７の使用履歴テーブル３２１から項目名「絞り値」を読み出す。
【０１８５】
ステップＳ９５の処理後は、ステップＳ９６に進み、表示項目選択部３１１は、ステップＳ９５で読み出した項目名(例えば、項目名「絞り値」)に対応する項目（例えば、項目「絞り値」）を、非表示領域１２２に表示させ、ステップＳ９１に戻る。
【０１８６】
以上のようにして、図１６のデジタルカメラ３００では、画像表示部１０５の非表示領域１２２に、使用履歴の新しい方から順に、項目が表示される。使用履歴の新しい項目は、その項目の設定が変更されたばかりであるため、使用履歴の古い項目に比べて、ユーザの確認の必要性が高い。従って、デジタルカメラ２００では、使用履歴の新しい方から順に、項目を表示させることにより、ユーザの所望の項目を表示させることができる。
【０１８７】
なお、上述した図１８の説明では、使用履歴の新しい方から順に、表示される項目が自動的に変更されたが、デジタルカメラ３００において、非表示領域１２２に表示する項目を切り替える切替ボタンを設け、ユーザが、その切替ボタンを操作することにより、非表示領域１２２に表示する項目を切り替えるようにすることもできる。
【０１８８】
また、上述した図１８のステップＳ９２，Ｓ９４，Ｓ９６では、同一の数、即ちＭ個ずつ項目名が読み出されたが、読み出される項目名の数は、異なる数であってもよい。
【０１８９】
さらに、ユーザによりメインダイヤル３１やサブダイヤル３２、または設定モードボタンが操作される場合、表示項目選択部３１１は、図１１の操作に応じた表示制御処理を行う。
【０１９０】
次に、図１９を参照して、デジタルカメラ３００の使用履歴管理部３１２が行う使用履歴テーブル変更処理を説明する。この使用頻度テーブル変更処理は、例えば、ユーザによりメインダイヤル３１やサブダイヤル３２、または設定モードボタンが操作されたとき、開始される。
【０１９１】
ステップＳ１１１において、使用履歴管理部３１２は、計時部３０３から、現在の日時を読み出し、ステップＳ１１２に進む。
【０１９２】
ステップＳ１１２において、使用履歴管理部３１２は、ユーザによるメインダイヤル３１やサブダイヤル３２、または設定モードボタンの操作に対応する項目、即ちユーザにより選択された項目の使用履歴テーブル３２１（図１７）の使用履歴を、ステップＳ１１１で読み出した現在の日時に変更する。
【０１９３】
例えば、ユーザが、図３のドライブモードボタン６９を操作しながらメインダイヤル３１を操作した場合、図４Ｂに示したように、メインダイヤル３１に割り当てられた機能は、ドライブモードを設定するための機能であるので、ユーザのメインダイヤル３１の操作に対応する項目は、ドライブモードを表す項目「ドライブモード」である。そこで、フラッシュメモリ３０２に、図１７に示した使用履歴テーブル３２１が記憶されている場合、使用履歴管理部３１２は、項目名「ドライブモード」に対応付けられている使用履歴「2004/11/12/19:00」を、現在の日時に変更する。
【０１９４】
なお、使用履歴テーブル３２１は、図１７に示したように、項目名に、項目を最後に使用した日付が対応付けられているものに限定されない。例えば、使用履歴テーブル３２１として、項目名を、項目を使用した順に羅列したものや、項目名に、項目を使用した日付が対応付けられているものなどを用いることもできる。
【０１９５】
図２０は、本発明を適用したデジタルカメラの第４実施の形態の構成例を示すブロック図である。
【０１９６】
図２０のデジタルカメラ４００では、フラッシュメモリ４０２が、ユーザにより、画像表示部１０５の非表示領域２１２に表示する項目として設定された項目を表す表示項目情報４２１を記憶しており、制御部４０１は、その表示項目情報４２１に基づいて、項目を選択し、その選択した項目を、画像表示部１０５の非表示領域１２２に表示させる。
【０１９７】
なお、図５と同一の符号を付したものは、図５のそれらと同一のものであり、説明は繰り返しになるので省略する。
【０１９８】
制御部４０１は、表示項目選択部４１１、表示項目情報管理部４１２、およびその他の制御部１１３により構成される。表示項目選択部４１１は、フラッシュメモリ４０２に記憶されている表示項目情報４２１に基づいて、フラッシュメモリ４０２に記憶されている項目のデータから、所定の項目のデータを選択し、その選択した項目のデータを読み出して、画像処理部１０３に供給する。表示項目情報管理部４１２は、操作部１０６からの操作信号に応じて、フラッシュメモリ４０２に記憶されている表示項目情報４２１を更新する。
【０１９９】
フラッシュメモリ４０２は、項目のデータ、各種のパラメータ、プログラムのほかに、ユーザにより非表示領域１２２に表示する項目として設定された項目を表す表示項目情報４２１を記憶する。
【０２００】
次に、図２１は、ユーザが、画像表示部１０５の非表示領域１２２に表示する項目を設定するための画像表示部１０５の表示画面の例を示している。
【０２０１】
ここで、例えば、ユーザは、図３のメニューボタン６５を操作して、各種の設定を行うためのメニュー画面を表示させ、そのメニュー画面の中から、非表示領域１２２に表示する項目を設定するための画面を、十字セレクタボタン７０などを操作することにより選択する。これにより、ユーザは、図２１に示す表示画面を表示させることができる。
【０２０２】
図２１に示すように、非表示領域１２２に表示させる項目を設定するための表示画面には、各項目の項目名と、チェックボックスとが表示される。ユーザは、非表示領域１２２に表示させる項目に対応するチェックボックスを、十字セレクタボタン７０などを操作することにより選択し、チェックする。図２１では、項目「バッテリ」と「画サイズ」が、非表示領域１２２に表示させる項目として、選択されている。なお、ユーザは、1度チェックしたチェックボックスを、十字セレクタボタン７０を操作して選択することにより、チェックボックスのチェックを外し、そのチェックボックスに対応する項目を、非表示領域１２２に表示させる項目として設定されないようにすることができる。
【０２０３】
ユーザが、十字セレクタボタン７０を操作して、チェックボックスをチェックする場合、操作部１０６は、ユーザの十字セレクタボタン７０の操作に対応する操作信号を、制御部４０１に供給する。制御部４０１の表示項目情報管理部４１２は、その操作信号に応じて、チェックされたチェックボックスに対応する項目名を、表示項目情報４２１として、フラッシュメモリ４０２に記憶させる。即ち、図２１の例の場合、表示項目情報４２１として、項目名「バッテリ」と「画サイズ」がフラッシュメモリ４０２に記憶される。
【０２０４】
次に、図２２を参照して、図２０のデジタルカメラ４００が行う、表示項目情報４２１に基づく、表示制御処理について説明する。      
【０２０５】
ステップＳ１３１において、制御部４０１の表示項目選択部４１１は、フラッシュメモリ４０２に記憶されている表示項目情報４２１を読み出す。
【０２０６】
ステップＳ１３１の処理後は、ステップＳ１３２に進み、表示項目選択部４１１は、ステップＳ１３１で読み出した表示項目情報４２１の項目名に基づいて、その項目名に対応する項目を、画像表示部１０５の非表示領域１２２に表示させ、ステップＳ１３１に戻る。
【０２０７】
例えば、表示項目情報４２１として、項目名「バッテリ」と「画サイズ」がフラッシュメモリ４０２に記憶されている場合、表示項目選択部４１１は、項目「バッテリ」と「画サイズ」（のデータ）をフラッシュメモリ４０２から読み出し、画像表示部１０５の非表示領域１２２に表示させる。
【０２０８】
ここで、デジタルカメラ４００の動作モードが撮影モードである場合、画像処理部１０３には、撮影部１０２から撮影画像の画像信号が供給され、動作モードが再生モードである場合、画像処理部１０３には、その他の制御部１１３からリムーバブルメモリ１１０に記録されている圧縮画像データが供給される。その結果、画像表示部１０５の表示領域１２１には撮影画像が表示される。
【０２０９】
以上のようにして、図２０のデジタルカメラ４００では、画像表示部１０５の非表示領域１２２に、ユーザが表示する項目として予め設定した所望の項目が表示される。
【０２１０】
なお、ユーザによりメインダイヤル３１やサブダイヤル３２、または設定モードボタンが操作された場合、表示項目選択部４１１は、図１１の操作に応じた表示制御処理を行う。
【０２１１】
次に、図２３を参照して、デジタルカメラ４００の表示項目情報管理部４１２が行う表示項目情報変更処理を説明する。この表示項目情報変更処理は、例えば、ユーザにより操作部１０６が操作され、チェックボックスが選択されたとき、開始される。
【０２１２】
ステップＳ１５１において、表示項目情報管理部４１２は、操作部１０６からの操作信号に基づいて、ユーザにより選択されたチェックボックスに対応する項目名を認識する。そして、表示項目情報管理部４１２は、その項目名が、フラッシュメモリ４０２の表示項目情報４２１に含まれているかどうかを判定する。
【０２１３】
ステップＳ１５１において、ユーザにより選択されたチェックボックスに対応する項目名が、表示項目情報４２１に含まれていると判定された場合、ステップＳ１５２に進み、表示項目情報管理部４１２は、その項目名を、表示項目情報４２１から削除する。そして、表示項目選択部４１１は、画像処理部１０３を制御し、画像表示部１０５に表示されている、その項目名に対応するチェックボックスのチェックを外し、処理を終了する。
【０２１４】
一方、ステップＳ１５１において、ユーザにより選択されたチェックボックスに対応する項目名が、表示項目情報４２１に含まれていないと判定された場合、ステップＳ１５３に進み、表示項目情報管理部４１２は、その項目名を、表示項目情報４２１として記憶する。そして、表示項目選択部４１１は、画像処理部１０３を制御し、画像表示部１０５に表示されている、その項目名に対応するチェックボックスをチェックし、処理を終了する。
【０２１５】
以上のように、図５のデジタルカメラ１では、撮影画像を表示領域１２１に表示させるとともに、デジタルカメラ１の状態に応じて選択した表示項目を、非表示領域１２２に表示させるようにしたので、撮影画像とユーザの所望する項目を、視認性良く表示させることができる。
【０２１６】
また、図１２のデジタルカメラ２００では、撮影画像を表示領域１２１に表示させるとともに、項目の選択（使用）の頻度を表す使用頻度テーブル２２１に基づいて選択した表示項目を、非表示領域１２２に表示させるようにしたので、撮影画像とユーザの所望する項目を、視認性良く表示させることができる。
【０２１７】
さらに、図１６のデジタルカメラ３００では、撮影画像を表示領域１２１に表示させるとともに、項目の選択（使用）の履歴を表す使用履歴テーブル３２１に基づいて選択した表示項目を、非表示領域１２２に表示させるようにしたので、撮影画像とユーザの所望する項目を、視認性良く表示させることができる。
【０２１８】
なお、デジタルカメラ１，２００，３００，４００において、非表示領域１２２に表示する項目を切り替える切替ボタンを設け、ユーザが、その切替ボタンを操作することにより、非表示領域１２２に表示する項目を切り替えるようにすることもできる。
【０２１９】
また、デジタルカメラ１，２００，３００，４００において、非表示領域１２２に表示する項目の切替をオフする切替オフボタンを設け、ユーザが、その切替オフボタンを操作することにより、非表示領域１２２に表示する項目の切替をオフするようにすることもできる。
【０２２０】
本実施の形態では、撮影部１０２により取得される撮影画像のアスペクト比と、画像表示部１０５の表示画面のアスペクト比が異なるようにしたが、画像表示部１０５に表示される撮影画像のアスペクト比と画像表示部１０５の表示画面のアスペクト比が異なるようにすれば、これに限定されない。例えば、画像表示部１０５に、画像表示部１０５の表示画面のサイズを縦方向または横方向に圧縮したサイズの撮影画像を表示させるようにしてもよい。また、アスペクト比が４：３の撮影画像を取得する撮影部１０２において、アスペクト比が３：２の撮影画像を取得する撮影時のモードで、撮影画像が取得され、アスペクト比が４：３の画像表示部１０５の表示画面に表示されるようにしてもよい。
【０２２１】
上述した一連の処理は、ハードウエアにより実行させることもできるが、ソフトウエアにより実行させることができる。
【０２２２】
この場合、デジタルカメラ１，２００，３００，４００は、例えば、図２４に示すようなパーソナルコンピュータにより構成される。
【０２２３】
図２４に示されるように、CPU(Central Processing Unit)５０１は、ROM（Read Only Memory）５０２に記録されているプログラム、またはハードディスク５０６からRAM（Random Access Memory）５０３にロードされたプログラムにしたがって各種の処理を実行する。例えば、CPU５０１，ROM５０２、およびRAM５０３は、マイクロコンピュータ(マイコン)として構成される。RAM５０３にはまた、CPU５０１が各種の処理を実行する上において必要なデータなども適宜記憶される。
【０２２４】
図２４において、CPU５０１が、上述した図５の制御部１０１、図１２の制御部２０１，図１６の制御部３０１、図２０の制御部４０１に相当し、RAM５０３、およびハードディスク５０４が、上述した図５のフラッシュメモリ１０７、図１２のフラッシュメモリ２０２、図１６のフラッシュメモリ３０２、図２０のフラッシュメモリ４０２や、リムーバブルメモリ１１０（図５）に相当することになる。
【０２２５】
なお、CPU５０１、ROM５０２、およびRAM５０３は、バス５０４を介して相互に接続されている。このバス５０４にはまた、入出力インタフェース５０５も接続されている。
【０２２６】
入出力インタフェース５０５には、ハードディスク５０６、画像表示部１０５などより構成される出力部５０７、操作部１０６などより構成される入力部５０８、モデム、ターミナルアダプタなどより構成される通信部５０９、被写体を撮影したり、その結果得られる撮影画像を画像表示部１０５に表示させる撮影部５１０が接続されている。ここで、撮影部５１０は、上述した図１の撮影部１０２、画像処理部１０３、およびSDRAM１０４に相当することになる。
【０２２７】
入出力インタフェース５０５にはまた、必要に応じて、ドライブ５１１が接続され、磁気ディスク、光ディスク、光磁気ディスク、或いは半導体メモリなどよりなるリムーバブル記録媒体５１２が適宜装着され、それらから読み出されたコンピュータプログラムが、必要に応じてハードディスク５０６にインストールされる。
【０２２８】
即ち、ドライブ５１１が、上述した図１の記録制御部１０８と読み出し制御部１０９に相当し、リムーバブル記録媒体２１１が、上述した図１のリムーバブルメモリ１１０に相当することになる。
【０２２９】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０２３０】
また、プログラムは、１のコンピュータにより処理されるものであっても良いし、複数のコンピュータによって分散処理されるものであっても良い。さらに、プログラムは、遠方のコンピュータに転送されて実行されるものであっても良い。
【図面の簡単な説明】
【０２３１】
【図１】本発明を適用したデジタルカメラの第１実施の形態の外観構成例を示す上面図である。
【図２】図１のデジタルカメラの左側面図である。
【図３】図１のデジタルカメラ１の背面図である。
【図４】メインダイヤルとサブダイヤルに割り当てられる機能を説明する図である。
【図５】図１乃至図３のデジタルカメラの内部の構成例を示すブロック図である。
【図６】図５の画像表示部の表示領域の一例を示す図である。
【図７】デジタルカメラの状態に応じて、非表示領域に表示される項目について説明する図である。
【図８】図５の画像表示部の表示領域の他の例を示す図である。
【図９】ユーザからの操作に応じて、非表示領域に表示される項目について説明する図である。
【図１０】デジタルカメラの状態に応じた表示制御処理を説明するフローチャートである。
【図１１】ユーザからの操作に応じた表示制御処理を説明するフローチャートである。
【図１２】本発明を適用したデジタルカメラの他の一実施の形態の構成例を示すブロック図である。
【図１３】図１２の使用頻度テーブルの例を示す図である。
【図１４】使用頻度テーブルに基づく、表示制御処理について説明するフローチャートである。
【図１５】デジタルカメラの使用頻度管理部が行う使用頻度テーブル変更処理を説明するフローチャートである。
【図１６】本発明を適用したデジタルカメラの第３実施の形態の構成例を示すブロック図である。
【図１７】図１６の使用履歴テーブルの例を示す図である。
【図１８】使用履歴テーブルに基づく、表示制御処理について説明する図である。
【図１９】デジタルカメラの使用履歴管理部が行う使用履歴テーブル変更処理を説明するフローチャートである。
【図２０】本発明を適用したデジタルカメラの第４実施の形態の構成例を示すブロック図である。
【図２１】非表示領域に表示する項目を設定するための画像表示部の表示画面の例を示す図である。
【図２２】表示項目情報に基づく、表示制御処理について説明するフローチャートである。
【図２３】デジタルカメラの表示項目情報管理部が行う表示項目情報変更処理を説明するフローチャートである。
【図２４】本発明を適用したコンピュータの一実施の形態の構成例を示すブロック図である。
【符号の説明】
【０２３２】
１  デジタルカメラ，１０１  制御部，  １０２  撮影部，  １０３  画像処理部，  １０４  SDRAM，  １０５  画像表示部，  １０６  操作部，  １０７  フラッシュメモリ，  １０８  記録制御部，  １０９  読み出し制御部，  １１０  リムーバブルメモリ，  １１１  表示項目選択部，  １１２  状態判定部，  １１３  その他の制御部，  １２０  表示領域，  １２１  表示領域，  １２２  非表示領域，  ２００  デジタルカメラ，  ２０１  制御部，  ２０２  フラッシュメモリ，  ２１１  表示項目選択部，  ２１２  使用頻度管理部，  ２２１  使用頻度テーブル，  ３００  デジタルカメラ，  ３０１  制御部，  ３１１  表示項目選択部，  ３１２  使用履歴管理部，  ３２１  使用履歴テーブル，  ５０１  CPU,  ５０２  ROM,  ５０３  RAM,  ５０６  ハードディスク，  ５０７  出力部，  ５０８  入力部，  ５０９  通信部，  ５１０  撮影部，  ５１１  ドライブ，  ５１２  リムーバブル記録媒体
【図１】
2006229311.tif 000003
【図２】
2006229311.tif 000004
【図３】
2006229311.tif 000005
【図４】
2006229311.tif 000006
【図５】
2006229311.tif 000007
【図６】
2006229311.tif 000008
【図７】
2006229311.tif 000009
【図８】
2006229311.tif 000010
【図９】
2006229311.tif 000011
【図１０】
2006229311.tif 000012
【図１１】
2006229311.tif 000013
【図１２】
2006229311.tif 000014
【図１３】
2006229311.tif 000015
【図１４】
2006229311.tif 000016
【図１５】
2006229311.tif 000017
【図１６】
2006229311.tif 000018
【図１７】
2006229311.tif 000019
【図１８】
2006229311.tif 000020
【図１９】
2006229311.tif 000021
【図２０】
2006229311.tif 000022
【図２１】
2006229311.tif 000023
【図２２】
2006229311.tif 000024
【図２３】
2006229311.tif 000025
【図２４】
2006229311.tif 000026